(57)【要約】【課題】デッキ材を設ける矩形領域の大小に関わりなく漏水を確実に防止すること。【解決手段】前桁１４と隣接する下地材２０との間にはデッキ材３０の上面３０ｂ以上の高さを有したアタッチメント５０が前桁１４に沿って配設され、アタッチメント５０のそれぞれの縁部には、アタッチメント５０の短手に沿って延在する補助横板部５２，５３と、補助横板部５２，５３から上下に沿って延在する補助屈曲部５６，５７とが設けられ、アタッチメント５０は、補助横板部５２，５３がそれぞれ前桁１４の内側屈曲部１６ｂ及び下地材２０の屈曲部２４に対向し、かつ補助屈曲部５６，５７がそれぞれ前桁１４の内側横板部１６ａ及び下地材２０の横板部２２に対向する状態で前桁１４と下地材２０との間に介在されている。【選択図】図４
2018178545.tif 000002
【特許請求の範囲】
【請求項１】
互いに直角となる方向に延在した第１の横材及び第２の横材の間の矩形領域に前記第１の横材に沿って延在する下地材を複数並設し、かつ前記下地材の上面に前記第２の横材に沿って延在するデッキ材を複数並設することによりデッキ部を構成した屋外構造体であって、
前記下地材は、個々の縁部に当該下地材の短手に沿って延在する横板部と、前記横板部から上下に沿って延在する屈曲部とを有し、互いに隣接する一方の下地材の屈曲部を他方の下地材の横板部に対向させた状態で相互に並設されるものであり、
前記第１の横材において前記矩形領域に対向する内側面には、内側に向けて延在する内側横板部と、前記内側横板部から上下に沿って屈曲した内側屈曲部とが設けられ、
前記第１の横材と隣接する下地材との間には前記デッキ材の上面以上の高さを有したアタッチメントが前記第１の横材に沿って配設され、
前記アタッチメントのそれぞれの縁部には、当該アタッチメントの短手に沿って延在する補助横板部と、前記補助横板部から上下に沿って延在する補助屈曲部とが設けられ、
前記アタッチメントは、前記補助横板部がそれぞれ前記第１の横材の内側屈曲部及び前記下地材の屈曲部に対向し、かつ前記補助屈曲部がそれぞれ前記第１の横材の内側横板部及び前記下地材の横板部に対向する状態で前記第１の横材と前記下地材との間に介在されていることを特徴とする屋外構造体。
【請求項２】
前記アタッチメントには、前記デッキ材に対向する部分の上方部から前記短手に沿ってカバー部が設けられており、前記カバー部が前記デッキ材の小口に対してその上方部を覆う状態で配設されていることを特徴とする請求項１に記載の屋外構造体。
【請求項３】
前記下地材は、一方の縁部において上方となる部位から前記横板部が延在するとともに下方に向けて前記屈曲部が設けられ、他方の縁部において下方となる部位から前記横板部が延在するとともに上方に向けて前記屈曲部が設けられていることを特徴とする請求項１に記載の屋外構造体。
【請求項４】
前記アタッチメントは、一方の縁部において上方となる部位から前記補助横板部が延在するとともに下方に向けて前記補助屈曲部が設けられ、他方の縁部において下方となる部位から前記補助横板部が延在するとともに上方に向けて前記補助屈曲部が設けられていることを特徴とする請求項１または請求項３に記載の屋外構造体。
【発明の詳細な説明】
【技術分野】
【０００１】
本発明は、バルコニー等の屋外構造体に関するものである。
【背景技術】
【０００２】
バルコニー等の屋外構造体にあっては、単にデッキ材を並設した場合、降雨時においてデッキ材の上面に降った水がそのままデッキ材の相互間から下方に漏水するおそれがある。このため従来では、デッキ材の下方に下地材を並設することによってデッキ部を構成し、上述の問題を解決するようにしたものも提供されている。下地材には、一方の縁部に上方の上部横板部と、上部横板部から下方に向けて延在した屈曲部とが設けられ、かつ他方の縁部に下方の下部横板部と、下部横板部から上方に向けて延在した屈曲部とが設けられている。これらの下地材は、互いに隣接する一方の屈曲部が他方の横板部に対向するように順次並設されている。こうした下地材を備える屋外構造体によれば、デッキ材の相互間を通過した水が下地材によって受け取られることになり、下方への漏水を防止することが可能となる（例えば、特許文献１参照）。
【先行技術文献】
【特許文献】
【０００３】
【特許文献１】特開２００６−２４１７６８号公報
【発明の概要】
【発明が解決しようとする課題】
【０００４】
ところで、デッキ部においてデッキ材や下地材を設ける矩形領域の大きさは、その設置状況に応じて必ずしも一定とはならない。また、桁や梁等の横材を連結する方法が異なる場合や横材の形状が異なる場合にも、矩形領域に大小が生じる。ここで、デッキ材については、切断することによって矩形領域の大小に容易に対応することが可能である。また、下地材についても、長手方向については切断位置を変更することで、矩形領域の大小に対して容易に対応することが可能である。しかしながら、下地材の短手方向については、両側の縁部に漏水を防止するための横板部及び屈曲部が設けられているため切断することができず、矩形領域の大小に対応することが難しい。
【０００５】
本発明は、上記実情に鑑みて、デッキ材を設ける矩形領域の大小に関わりなく漏水を確実に防止することのできる屋外構造体を提供することを目的とする。
【課題を解決するための手段】
【０００６】
上記目的を達成するため、本発明に係る屋外構造体は、互いに直角となる方向に延在した第１の横材及び第２の横材の間の矩形領域に前記第１の横材に沿って延在する下地材を複数並設し、かつ前記下地材の上面に前記第２の横材に沿って延在するデッキ材を複数並設することによりデッキ部を構成した屋外構造体であって、前記下地材は、個々の縁部に当該下地材の短手に沿って延在する横板部と、前記横板部から上下に沿って延在する屈曲部とを有し、互いに隣接する一方の下地材の屈曲部を他方の下地材の横板部に対向させた状態で相互に並設されるものであり、前記第１の横材において前記矩形領域に対向する内側面には、内側に向けて延在する内側横板部と、前記内側横板部から上下に沿って屈曲した内側屈曲部とが設けられ、前記第１の横材と隣接する下地材との間には前記デッキ材の上面以上の高さを有したアタッチメントが前記第１の横材に沿って配設され、前記アタッチメントのそれぞれの縁部には、当該アタッチメントの短手に沿って延在する補助横板部と、前記補助横板部から上下に沿って延在する補助屈曲部とが設けられ、前記アタッチメントは、前記補助横板部がそれぞれ前記第１の横材の内側屈曲部及び前記下地材の屈曲部に対向し、かつ前記補助屈曲部がそれぞれ前記第１の横材の内側横板部及び前記下地材の横板部に対向する状態で前記第１の横材と前記下地材との間に介在されていることを特徴とする。
【０００７】
この発明によれば、下地材の上部にデッキ材を設けるようにしているため、デッキ材の隙間を通過した水を下地材によって受け取ることができる。しかも、下地材と第１の横材との間に補助横板部及び補助屈曲部を有したアタッチメントを設けるようにしているため、第１の横材の内側横板部と補助屈曲部との対向位置及び下地材の横板部と補助屈曲部との対向位置を適宜変更することで、矩形領域が大小した場合にも漏水を確実に防止することが可能となる。さらに、アタッチメントがデッキ材の上面以上の高さを有しているため、デッキ材の小口端面を隠すことが可能となり、外観品質上有利となる。
【０００８】
また本発明は、上述した屋外構造体において、前記アタッチメントには、前記デッキ材に対向する部分の上方部から前記短手に沿ってカバー部が設けられており、前記カバー部が前記デッキ材の小口に対してその上方部を覆う状態で配設されていることを特徴とする。
【０００９】
この発明によれば、デッキ材における小口の上方部を覆うようにアタッチメントにカバー部を設けているため、組立時においてデッキ材の小口端面が正確に揃っていない場合にも外部に現れることがなく、外観品質を何ら損なうことなく組立作業を容易化することができるようになる。また、仮に組立後においてデッキ材に不均一に熱伸びが生じた場合にも、その状況が外部に露出することはなく、意匠性が損なわれるおそれがない。
【００１０】
また本発明は、上述した屋外構造体において、前記下地材は、一方の縁部において上方となる部位から前記横板部が延在するとともに下方に向けて前記屈曲部が設けられ、他方の縁部において下方となる部位から前記横板部が延在するとともに上方に向けて前記屈曲部が設けられていることを特徴とする。
【００１１】
この発明によれば、下地材として１種類用意すれば良いため、部品点数の削減を図ることができる。
【００１２】
また本発明は、上述した屋外構造体において、前記アタッチメントは、一方の縁部において上方となる部位から前記補助横板部が延在するとともに下方に向けて前記補助屈曲部が設けられ、他方の縁部において下方となる部位から前記補助横板部が延在するとともに上方に向けて前記補助屈曲部が設けられていることを特徴とする。
【００１３】
この発明によれば、第１の横材に設けられた内側屈曲部の向きに関わりなく、同じアタッチメントを適用することが可能である。
【発明の効果】
【００１４】
本発明によれば、下地材の上部にデッキ材を設けるようにしているため、デッキ材の隙間を通過した水を下地材によって受け取ることができる。しかも、下地材と第１の横材との間に補助横板部及び補助屈曲部を有したアタッチメントを設けるようにしているため、第１の横材の内側横板部と補助屈曲部との対向位置及び下地材の横板部と補助屈曲部との対向位置を適宜変更することで、矩形領域が大小した場合にも漏水を確実に防止することが可能となる。さらに、アタッチメントがデッキ材の上面以上の高さを有しているため、デッキ材の小口端面を隠すことが可能となり、外観品質上有利となる。
【図面の簡単な説明】
【００１５】
【図１】図１は、本発明の実施の形態である屋外構造体の要部平面図である。
【図２】図２は、図１に示した屋外構造体において横材を互いに連結した部分の拡大平面図である。
【図３】図３は、図１に示した屋外構造体を後方から前方に向けて見た拡大縦断面図である。
【図４】図４は、図１に示した屋外構造体の要部拡大縦断面側面図である。
【図５】図５は、図１に示した屋外構造体の一部を破断して示す斜視図である。
【図６】図６は、図１に示した屋外構造体の一部を破断して示す斜視図である。
【図７】図７は、屋外構造体の要部を拡大して示すもので、（ａ）は図１に示した屋外構造体の縦断面側面図、（ｂ）は（ａ）よりもデッキ部の寸法が大きな屋外構造体の要部拡大縦断面側面図である。
【発明を実施するための形態】
【００１６】
以下、添付図面を参照しながら本発明に係る屋外構造体の好適な実施の形態について詳細に説明する。
【００１７】
図１〜図６は、本発明の実施の形態である屋外構造体を示したものである。ここで例示する屋外構造体は、建築物の上階となる部分の外壁面Ｗからデッキ部１０が突出するように設けられたバルコニーである。なお、以下においては便宜上、バルコニーにおいて建築物の外壁面Ｗから離隔する方向を前方、建築物に近接する方向を後方と称して説明を行う。
【００１８】
デッキ部１０は、建築物の外壁面Ｗに取り付けた躯体取付用部材１１の両側に妻梁（横材）１２を備えるとともに、妻梁１２の間となる部位に根太（横材）１３を備え、これら妻梁１２及び根太１３の突出端部間を前桁（横材）１４によって互いに連結したものである。妻梁１２、根太１３及び前桁１４によって囲まれる矩形領域１５には、それぞれ複数の下地材２０及び複数のデッキ材３０がそれぞれ並設してある。
【００１９】
妻梁１２、根太１３、前桁１４は、それぞれアルミニウム合金等の金属によって成形した押し出し形材であり、ほぼ水平となるように配設してある。本実施の形態では、中空で縦長の長方形状となる角筒状に構成した妻梁１２、根太１３、前桁１４を適用している。前桁１４において矩形領域１５に対向する内側面１４ａには前桁１４の長手に沿ってそれぞれ桁樋１６が設けてあり、妻梁１２及び根太１３において矩形領域１５に対向する内側面１２ａ，１３ａには妻梁１２及び根太１３の長手に沿ってそれぞれ梁樋１７が設けてある。
【００２０】
桁樋１６は、前桁１４と一体に成形したもので、内側横板部１６ａ及び内側屈曲部１６ｂを有して構成してある。内側横板部１６ａは、前桁１４の内側面１４ａから矩形領域１５に向けてほぼ水平に延在した平板状部分である。内側横板部１６ａの延在縁部は、上方に向けてわずかに屈曲している。内側屈曲部１６ｂは、内側横板部１６ａの中間部から上方に向けて突出した平板状部分であり、前桁１４の内側面１４ａとの間に上方に開口した樋部１６ｃを構成している。内側屈曲部１６ｂの上端縁は、前桁１４の上端面よりも下方となるように設定してある。桁樋１６の両端部はいずれも開口しており、受け入れた水を両端部から排出することが可能である。
【００２１】
梁樋１７は、別体の樋部材１７Ａを妻梁１２の内側面１２ａ及び根太１３の内側面１３ａに取り付けることによって構成したもので、桁樋１６よりも下方において妻梁１２及び根太１３の長手に沿ってほぼ水平に延在している。樋部材１７Ａは、平板状を成す底壁板１７Ａａと、底壁板１７Ａａの両側からそれぞれ上方に向けて延在した側壁板１７Ａｂとを有して構成したもので、一方の側壁板１７Ａｂを介して妻梁１２及び根太１３に取り付けてある。それぞれの梁樋１７は、両端部がいずれも閉塞してある一方、個々の前端部下面に排水樋１８が接続してあり、排水樋１８を介して排水が可能である。
【００２２】
下地材２０は、アルミニウム合金等の金属によって成形した押し出し形材である。本実施の形態では、下地本体部２１及び下地本体部２１の両側縁部に設けた横板部２２，２３を有して下地材２０を構成している。下地本体部２１は、断面がほぼ横長矩形の角筒状を成すもので、中央部に締結樋部２１ａを有している。締結樋部２１ａは、上面が開口した断面矩形の凹溝部分である。横板部２２，２３は、下地本体部２１からほぼ水平に延在した平板状部分であり、下地本体部２１の一方の縁部においては上隅部から延在し、かつ他方の縁部においては下隅部から延在している。個々の横板部２２，２３には、屈曲部２４，２５が設けてある。屈曲部２４，２５は、上下に沿って延在した平板状部分である。下地本体部２１の上隅部に設けた横板部（以下、上横板部２２という）には、その延在縁部から下方に向けて屈曲部２４が設けてあり、下隅部に設けた横板部（以下、下横板部２３という）には、その延在縁部から上方に向けて屈曲部２５が設けてある。
【００２３】
上述の構成を有する下地材２０は、上横板部２２が前方となる状態で前桁１４に沿って配置し、左右の両端部が妻梁１２に設けた梁樋１７の上面及び根太１３に設けた梁樋１７の上面に載置された状態で前後に複数並設してある。梁樋１７に対しては、それぞれ締結樋部２１ａを介してネジＳを締結することによって固定してある。下地材２０の中間部分は、前桁１４と躯体取付用部材１１との間に設けたブラケット１にネジＳで固定しても良い。図からも明らかなように、互いに隣接する下地材２０は、上横板部２２に設けた屈曲部２４が下横板部２３に対向し、かつ下横板部２３に設けた屈曲部２５が上横板部２２に対向するように並設してある。つまり、隣接する下地材２０の間においては、上横板部２２と下横板部２３とが上下方向において互いに重なっており、上下に沿った隙間が生じることがない。しかも、下横板部２３においては、延在縁部から上方に向けて屈曲部２５が延在しているため樋の機能を有することになり、隣接する下地材２０の相互間に水が滴下した場合に、下方に漏水させることなくその上面において確実に受け取ることが可能である。
【００２４】
デッキ材３０は、バルコニーの床面となる板状部材である。本実施の形態では、木粉を含む樹脂によって成形した中空の板状を成すデッキ材３０を妻梁１２に沿った姿勢で複数並設することによりバルコニーの床面が構成してある。それぞれのデッキ材３０は、下地材２０に設けた接続金具４０によって下地材２０に取り付けてある。本実施の形態では、前方に向けてわずかに下方となるように、デッキ材３０がわずかに傾斜した状態で配設してある。
【００２５】
ここで、上述した下地材２０及びデッキ材３０は、躯体取付用部材１１を基準としてデッキ部１０に配設してある。このため、下地材２０については、前桁１４の桁樋１６と下地材２０の上横板部２２との間に隙間が生じる場合があり、またデッキ材３０については、隣接するものの小口端面３０ａが互いに不揃いとなる場合があり得る。そこで、本実施の形態では、デッキ部１０において前桁１４の桁樋１６と下地材２０及びデッキ材３０との間に前桁１４に沿ってアタッチメント５０を介在させることにより上述の問題を解決するようにしている。
【００２６】
アタッチメント５０は、アルミニウム合金等の金属によって成形した押し出し形材である。本実施の形態では、上下に沿って延在する平板状の本体部５１を有するとともに、本体部５１の両側縁部にそれぞれ補助横板部５２，５３を有したアタッチメント５０を適用するようにしている。本体部５１は、下端を梁樋１７の上面に載置させた場合に上端がデッキ材３０の上面３０ｂよりもわずかに上方に突出するように設定したものである。この本体部５１には、上端縁にカバー部５４が設けてあるとともに、中間部に桁樋当接部５５が設けてある。カバー部５４は、本体部５１の上端縁から後方に向けて略直角に屈曲して延在したものである。桁樋当接部５５は、本体部５１の前方に臨む表面から前方に向けてほぼ水平に延在した後、上方に向けてほぼ直角に屈曲して延在した部分である。この桁樋当接部５５は、梁樋１７の上面において本体部５１を桁樋１６において内側横板部１６ａの延在縁部に当接させた場合に桁樋１６の内側屈曲部１６ｂに当接するように寸法が設定してある。
【００２７】
本体部５１の後縁側に設けた補助横板部（以下、後方補助横板部５２という）は、本体部５１の下端縁から後方に向けてほぼ水平に延在した平板状を成している。後方補助横板部５２の寸法は、下地材２０に設けた上横板部２２の寸法よりも大きく構成してある。一方、本体部５１の前縁側に設けた補助横板部（以下、前方補助横板部５３という）は、桁樋当接部５５の上端縁から前方に向けてほぼ水平に延在した平板状を成している。これらの補助横板部５２，５３には、それぞれの延在縁部に補助屈曲部５６，５７が設けてある。後方補助横板部５２においては、補助屈曲部５６が上方に向けて延在し、前方補助横板部５３においては、補助屈曲部５７が下方に向けて延在している。後方補助横板部５２の補助屈曲部５６は、上下に沿った寸法が下地材２０における下地本体部２１の高さよりもわずかに小さく構成してあり、梁樋１７の上面に載置させた場合に上横板部２２との間に配置することが可能である。図からも明らかなように、本実施の形態では、本体部５１の上端縁から前方に向けてカバー部５４を延長するとともに、前方補助横板部５３の前端縁から上方に向けて補助屈曲部５７を延長し、互いの延長部を連結することでアタッチメント５０に中空部５８を構成するようにしている。図からも明らかなように、アタッチメント５０の前後（短手）に沿った寸法は、下地材２０に比べて短く構成してある。
【００２８】
なお、図中の符号６０は、デッキ材３０と妻梁１２との間及びデッキ材３０と根太１３との間に設けたスペーサ部材である。このスペーサ部材６０は、必ずしも設ける必要はなく、下地材２０にデッキ材３０を取り付けることのみによってデッキ部１０を構成しても構わない。
【００２９】
上記のように構成したバルコニーによれば、デッキ材３０の小口端面３０ａがアタッチメント５０の本体部５１によって隠されるため、正面側から見た場合にもデッキ材３０の小口端面３０ａが見えることはなく、外観品質上有利となる。さらに、アタッチメント５０にカバー部５４を設けるようにしているため、デッキ材３０の上面３０ｂが覆われることになる。従って、仮に組立時においてデッキ材３０の小口端面３０ａが正確に揃っていない場合にもカバー部５４によって外部に現れることがなく、外観品質を何ら損なうことなく組立作業を容易化することができるようになる。また、組立後においてデッキ材３０に不均一に熱伸びが生じた場合にも、その状況が外部に露出することはなく、意匠性が損なわれるおそれもない。
【００３０】
また、このバルコニーでは、雨天時においてデッキ材３０の上面３０ｂに雨が降ると、前方に向かって案内され、個々の前端縁から下方に落下する。デッキ材３０の前端縁から落下した雨水は、アタッチメント５０の本体部５１と補助屈曲部５６との間において後方補助横板部５２の上面で受け取られた後、妻梁１２もしくは根太１３に向けて案内され、端部から落下して梁樋１７で受け止められる。前桁１４とアタッチメント５０との間に降った雨については、前桁１４の桁樋１６によって受け止められ、妻梁１２もしくは根太１３に向けて案内され、端部から落下して梁樋１７で受け止められる。梁樋１７の雨水は、前方に案内された後、排水樋１８を介して地表に案内されることになる。
【００３１】
この間、デッキ材３０の上面３０ｂに降った雨の一部は、デッキ材３０の相互間から下方に進行することになる。しかしながら、本実施の形態のバルコニーによれば、デッキ材３０の下方に下地材２０を設けるようにしているため、デッキ材３０の相互間を通過した雨水は、下地材２０によって受け止められることになり、直接地表に落下するおそれがない。すなわち、下地材２０の上面に到達した雨水は、上方に開口する締結樋部２１ａで受け止められるため、締結樋部２１ａにおいて妻梁１２もしくは根太１３に向けて案内され、端部から落下して梁樋１７で受け止められる。また、下地材２０の上面に到達した雨水は、そのまま妻梁１２もしくは根太１３に向けて案内され、端部から落下して梁樋１７で受け止められる。下地材２０の上面を移動する雨水は、仮に途中で隣接する下地材２０に向けて移動したとしても、下地本体部２１と屈曲部２５との間において下横板部２３で受け止められ、地表に落下することなく、確実に梁樋１７に案内されることになる。従って、デッキ材３０の相互間を通過した雨水が直接地表に落下する事態を招来することがない。
【００３２】
しかも、アタッチメント５０に補助横板部５２，５３及び補助屈曲部５６，５７を設けるようにしているため、図７の（ａ）及び図７の（ｂ）に示すように、前桁１４の内側横板部１６ａと補助屈曲部５７との対向位置及び下地材２０の上横板部２２と補助屈曲部５６との対向位置を適宜変更することで、もっとも前方に位置する下地材２０と前桁１４の内側面１４ａとの間の寸法が異なるデッキ部１０′に対しても、下方への漏水を防止する機能を維持した状態でこれに対応することが可能となる。具体的には、アタッチメント５０と下地材２０との間においては、下地材２０に設けた上横板部２２の寸法の範囲で調整が可能であり、前桁１４とアタッチメント５０との間においては、アタッチメント５０に設けた補助横板部５３の寸法の範囲で調整が可能である。これにより、実際の作業現場においてデッキ部１０の矩形領域１５が大小した場合であっても、アタッチメント５０の位置を調整することによって容易に対応することが可能である。
【００３３】
なお、上述した実施の形態では、下地材を前桁に沿って配置するようにしているが、下地材を妻梁に沿って配置するようにしても良い。この場合、下地材と妻梁との間にアタッチメントを配設する必要があるのはいうまでもない。また、横材である前桁に内側横板部及び内側屈曲部を一体に設けるようにしているが、必ずしも一体である必要はなく、別途構成した部材を横材に取り付けることによって内側横板部及び内側屈曲部を構成するものにも適用することが可能である。なお、横材に設ける内側屈曲部が内側横板部から上方に向けて延在している必要はない。さらに、妻梁及び根太に対して直接前桁を連結したバルコニーを例示しているが、柱を介して妻梁及び前桁を連結するものにも適用することが可能である。
【００３４】
また、上述した実施の形態では、下地材２０として一方の縁部においては上方となる部位から横板部２２が延在し、他方の縁部においては下方となる部位から横板部２３が延在したものを適用しているため、１種類の下地材を用意すれば良いが、本発明はこれに限定されず、両縁部に上方から横板部が延在する下地材及び両縁部に下方から横板部が延在する下地材の２種類を適用しても良い。同様に、アタッチメント５０についても、両側の縁部の同じ高さ位置から補助横板部を延在させ、個々の補助横板部から同一方向に向けて上下に補助屈曲部を設けるようにしても構わない。
【００３５】
さらに、上述した実施の形態では、アタッチメント５０にカバー部５４を設けるようにしているため、上述したように、外観品質を損なうことなく組立作業を容易化することができたり、組立後に発生したデッキ材の不均一な熱伸びが外部に露出されない等々の作用効果を奏するが、本発明のアタッチメントは、必ずしもカバー部を有している必要はない。この場合、アタッチメントの本体部は必ずしもデッキ材の上面よりも上方に突出している必要はなく、デッキ材の上面と同じ高さであれば良い。
【符号の説明】
【００３６】
１０  デッキ部、１２  妻梁、１２ａ  内側面、１３  根太、１３ａ  内側面、１４  前桁、１４ａ  内側面、１５  矩形領域、１６  桁樋、１６ａ  内側横板部、１６ｂ  内側屈曲部、２０  下地材、２１  下地本体部、２１ａ  締結樋部、２２，２３  横板部、２４，２５  屈曲部、３０  デッキ材、３０ａ  小口端面、３０ｂ  上面、５０  アタッチメント、５１  本体部、５２，５３  補助横板部、５４  カバー部、５５  桁樋当接部、５６，５７  補助屈曲部
【図１】
2018178545.tif 000003
【図２】
2018178545.tif 000004
【図３】
2018178545.tif 000005
【図４】
2018178545.tif 000006
【図５】
2018178545.tif 000007
【図６】
2018178545.tif 000008
【図７】
2018178545.tif 000009